(57)【要約】  本発明は、ＵＰｎＰテレフォニーを用いてメモを共有する方法が提供される。その方法は、テレフォニーサーバにより少なくても一つの装置からメモサービスの要求を受信するステップと、テレフォニーサーバにより第１のテレフォニー制御ポイントから共有するメモ情報を受信するステップと、テレフォニーサーバにより、受信されたメモ情報をメモサービスを要求した少なくとも一つの装置に通知するステップとを有する。
2013541752.tif 000002
【特許請求の範囲】
【請求項１】
ＵＰｎＰテレフォニーを用いてメモを共有する方法であって、
テレフォニーサーバにより少なくても一つの装置からメモサービスの要求を受信するステップと、
前記テレフォニーサーバにより第１のテレフォニー制御ポイントから共有するメモ情報を受信するステップと、
前記テレフォニーサーバにより、前記受信されたメモ情報を前記メモサービスを要求した少なくとも一つの装置に通知するステップと、
を有することを特徴とする方法。
【請求項２】
前記共有されるメモ情報は、メモＩＤ情報とメモコンテンツ情報を含むことを特徴とする請求項１に記載の方法。
【請求項３】
前記メモサービスを要求した装置のうちいずれか一つからメモ転送のための登録を受信するステップと、
前記メモ転送のための登録に含まれるメモ転送方法に従ってメモを送信するステップと、
をさらに有することを特徴とする請求項１又は２に記載の方法。
【請求項４】
前記メモ転送のための登録は、前記メモ転送方法と登録解除期間に関する情報を含むことを特徴とする請求項３に記載の方法。
【請求項５】
前記メモ転送方法は、電子メールアドレス、電話番号、及びＳＩＰアドレスのうち少なくとも一つの情報要素を含むことを特徴とする請求項３又は４に記載の方法。
【請求項６】
前記メモ転送方法がＳＩＰアドレス情報を含む場合、前記テレフォニーサーバは、ＳＩＰメッセージを用いてメモを伝送し、
前記メモ転送方法が電話番号を含む場合、前記テレフォニーサーバは、ＳＭＳを用いてメモを伝送し、
前記メモ転送方法が電子メールアドレス情報を含む場合、前記テレフォニーサーバは、ＳＭＴＰを用いてメモを伝送することを特徴とする請求項５に記載の方法。
【請求項７】
前記テレフォニーサーバが属するホームネットワークがＵＰｎＰリモートアクセスを通じて他のホームネットワークに接続される場合、前記共有されるメモ情報を前記他のホームネットワークに属し、かつメモサービスに加入された装置に伝送するステップをさらに有することを特徴とする請求項１乃至６のいずれか１項に記載の方法。
【請求項８】
ＵＰｎＰテレフォニーを用いてメモを共有する装置であって、
一つ以上の装置からメモサービス要求を受信し、第１のテレフォニー制御ポイントから共有されるメモ情報を受信する場合、前記受信したメモ情報を前記メモサービスを要求した前記一つ以上の装置に通知するテレフォニーサーバを含むことを特徴とする装置。
【請求項９】
前記共有されるメモ情報は、メモＩＤ情報とメモコンテンツ情報を含むことを特徴とする請求項８に記載の装置。
【請求項１０】
前記テレフォニーサーバは、
前記メモサービスを要求した装置のうちいずれか一つからメモ転送のための登録を受信し、前記メモ転送のための登録に含まれるメモ転送方法に従ってメモを送信することを特徴とする請求項８又は９に記載の装置。
【請求項１１】
前記メモ転送のための登録は、前記メモ転送方法と登録解除期間に関する情報を含むことを特徴とする請求項１０に記載の装置。
【請求項１２】
前記メモ転送方法は、電子メールアドレス、電話番号、及びＳＩＰアドレスのうち少なくとも一つの情報要素を含むことを特徴とする請求項１０又は１１に記載の装置。
【請求項１３】
前記メモ転送方法がＳＩＰアドレス情報を含む場合、前記テレフォニーサーバは、ＳＩＰメッセージを用いてメモを伝送し、
前記メモ転送方法が電話番号を含む場合、前記テレフォニーサーバは、ＳＭＳを用いてメモを伝送し、
前記メモ転送方法が電子メールアドレス情報を含む場合、前記テレフォニーサーバは、ＳＭＴＰを用いてメモを伝送することを特徴とする請求項１４に記載の装置。
【請求項１４】
前記テレフォニーサーバが属するホームネットワークがＵＰｎＰリモートアクセスを通じて他のホームネットワークに接続される場合、前記テレフォニーサーバは、前記共有されるメモ情報を前記他のホームネットワークに属し、かつメモサービスを要求する装置に伝送することを特徴とする請求項８乃至１３のいずれか１項に記載の装置。
【発明の詳細な説明】
【技術分野】
【０００１】
本発明はＵＰｎＰ(Universal  Plug  and  Play)プロトコルに関するもので、特にテレフォニー(Telephony)サービスを用いてメモを共有するための方法及び装置に関する。
【背景技術】
【０００２】
一般的に、ホームネットワークは、インターネットプロトコル(Internet  Protocol：以下、“ＩＰ”と称する)基盤の私設網(private  network)を含む。このようなホームネットワークは、個人コンピュータ(ＰＣ)、知能型製品、及び無線装置のような多様な機器を共通の仮想コンピュータ環境であるミドルウェア(middleware)を通じて一つのネットワークに接続して制御する。ここで、ミドルウェアは、多様な装置をピアツーピア(peer-to-peer)方式で連結して機器間の通信が可能なようにするものである。現在まで、ＨＡＶＩ(Home  AV  Interoperability)、ＵＰｎＰ、Ｊｉｎｉ(Java  Intelligent  Network  Infra-structure)、ＨＷＷ(Home  Wide  Web)などがミドルウェアとして提案されている。
【０００３】
このうち、ＵＰｎＰミドルウェアで構築されるコンピューティング環境において、各デバイスは、動的ホスト構成プロトコル(Dynamic  Host  Configuration  Protocol：ＤＨＣＰ)に従ってサーバからアドレスの割り当てを受信し、あるいは自動ＩＰ(Internet  Protocol)指定機能により選択されたアドレスの割り当てを受信する。このアドレスの割り当てを通じて、デバイスは、相互間の通信、及びネットワーク上での検索及び照会を遂行する。
【０００４】
ＵＰｎＰネットワークは、現在最も多く使用されているホームネットワーク技術に関連する。ＵＰｎＰネットワークは、ＵＰｎＰデバイス、ＵＰｎＰサービス、及びＵＰｎＰデバイスとＵＰｎＰサービスとの間のプロトコルを定義する。このようなＵＰｎＰネットワークは、ＩＰ基盤のホームネットワークに接続して制御されるホームネットワーク装置である被制御装置(Controlled  Device：ＣＤ)と、被制御装置を制御する装置である制御ポイント(Control  Point：ＣＰ)とを含む。制御ポイントは、被制御装置に対する制御を遂行する装置である。この制御ポイントは、被制御装置からイベントが要求され、被制御装置からイベントを受信する。被制御装置は、制御ポイントの要求により決定された機能を遂行する装置である。被制御装置は、状態(state)が変更される場合にイベントが要求された制御ポイントに上記要求されたイベントを送信する。
【０００５】
このように構成されたＵＰｎＰネットワーク装置は、アドバタイズメント(Advertisement)過程、ディスカバリー(Discovery)過程、デスクリプション(Description)過程、制御(Control)過程、及びイベンティング(Eventing)過程を遂行する。
【０００６】
アドバタイズメント過程は、新たな被制御装置がホームネットワークに連結されてホームネットワーク上の他のデバイスに自身を知らせる過程である。
【０００７】
ディスカバリー過程は、新たな制御ポイントがホームネットワークに連結されてホームネットワーク上で動作する被制御装置を検索する過程である。
【０００８】
デスクリプション過程は、制御ポイントが被制御装置を制御するために検索された被制御装置のＩＰアドレスを通じてサービスデスクリプションＸＭＬ(eXtensible  Markup  Language)ファイル又はデバイスデスクリプションＸＭＬファイルをパーシング(parsing)して新しく追加されたデバイスの機能を把握する過程である。
【０００９】
制御過程は、制御ポイントが被制御装置を通じて特定サービスを提供しようとする場合、ＵＰｎＰデバイスアーキテクチャによってＳＯＡＰ(Simple Object Access Protocol)を用いて所定のサービスを要請する制御メッセージ(action  request)を該当被制御装置に伝送し、これに対する応答メッセージ(result、variable  value)を受信する過程である。
【００１０】
イベント過程は、制御ポイントから伝送される制御命令により所定のサービスを提供した被制御装置の情報変更状態を確認する過程である。
【００１１】
現在ＵＰｎＰテレフォニーＷＣにおいて、テレフォニー機能を有するデバイスは、上記ＵＰｎＰに基づいてホームネットワーク内のテレフォニー機能を持っていないデバイスにより制御される。したがって、通信が可能な標準が制定されている。
【発明の概要】
【発明が解決しようとする課題】
【００１２】
したがって、本発明は上記した従来技術の問題点に鑑みてなされたものであって、その目的は、ＵＰｎＰテレフォニーサービスを用いてネットワークにおけるメモを共有する方法及び装置を提供することにある。
【課題を解決するための手段】
【００１３】
上記のような目的を達成するために、本発明の一態様によれば、ＵＰｎＰテレフォニーを用いてメモを共有する方法が提供される。その方法は、テレフォニーサーバにより少なくても一つの装置からメモサービスの要求を受信するステップと、テレフォニーサーバにより第１のテレフォニー制御ポイントから共有するメモ情報を受信するステップと、テレフォニーサーバにより、受信されたメモ情報をメモサービスを要求した少なくとも一つの装置に通知するステップとを有する。
【００１４】
この共有されるメモ情報は、メモＩＤ情報とメモコンテンツ情報を含む。
【００１５】
上記方法は、メモサービスを要求した装置のうちいずれか一つからメモ転送のための登録を受信するステップと、メモ転送のための登録に含まれるメモ転送方法に従ってメモを送信するステップとをさらに有する。
【００１６】
上記メモ転送のための登録は、メモ転送方法と登録解除期間に関する情報を含む。
【００１７】
上記メモ転送方法は、電子メールアドレス、電話番号、及びＳＩＰアドレスのうち少なくとも一つの情報要素を含む。
【００１８】
メモ転送方法がＳＩＰアドレス情報を含む場合、テレフォニーサーバは、ＳＩＰメッセージを用いてメモを伝送する。
【００１９】
メモ転送方法が電話番号を含む場合、テレフォニーサーバは、ＳＭＳを用いてメモを伝送する。
【００２０】
メモ転送方法が電子メールアドレス情報を含む場合、テレフォニーサーバは、ＳＭＴＰを用いてメモを伝送する。
【００２１】
上記方法は、テレフォニーサーバが属するホームネットワークがＵＰｎＰリモートアクセスを通じて他のホームネットワークに接続される場合、前記共有されるメモ情報を前記他のホームネットワークに属し、かつメモサービスに加入された装置に伝送するステップをさらに有する。
【００２２】
また、本発明の他の態様によれば、ＵＰｎＰテレフォニーを用いてメモを共有する装置が提供される。その装置は、一つ以上の装置からメモサービス要求を受信し、第１のテレフォニー制御ポイントから共有されるメモ情報を受信する場合、受信したメモ情報を前記メモサービスを要求した一つ以上の装置に通知するテレフォニーサーバを含む。
【発明の効果】
【００２３】
本発明は、ＵＰｎＰテレフォニーサービスを用いてホームネットワークでメモを共有し、移動通信装置を用いてホームネットワークの内部だけでなく外部でもメモを共有することができる。
【００２４】
本発明の上記及び他の態様、特徴、及び利点は、添付の図面と共に述べる以下の詳細な説明から、一層明らかになるはずである。
【図面の簡単な説明】
【００２５】
【図１】本発明で使用されるＵＰｎＰテレフォニーサービスの構成を示す図である。
【図２】本発明の一実施形態によるＵＰｎＰテレフォニーを用いるメモ共有システムを概略的に示すブロック構成図である。
【図３】本発明の一実施形態によるＵＰｎＰテレフォニーを用いるメモ共有動作のフローを示す図である。
【図４】本発明の一実施形態によるテレフォニーサーバと移動装置との間のＳＩＰ接続を用いてメモを共有する動作のフローを示す図である。
【図５】本発明の一実施形態によるＵＰｎＰリモートアクセスを用いて２個のホームネットワーク間のメモ共有を概略的に示すブロック構成図である。
【図６】本発明の一実施形態によるＳＩＰメッセージを用いて２個のホームネットワーク間のメモ共有動作のフローを示す図である。
【発明を実施するための形態】
【００２６】
以下、本発明の望ましい実施形態を添付の図面を参照して詳細に説明する。
【００２７】
次の説明において、具体的な構成及び構成要素のような特定詳細は、ただ本発明の実施形態の全般的な理解を助けるために提供されるだけである。したがって、本発明の範囲及び精神を逸脱することなく、以下に説明される本発明の様々な変形及び変更が可能であることは、当該技術分野における通常の知識を持つ者には明らかである。なお、公知の機能または構成に関する具体的な説明は、明瞭性と簡潔性のために省略する。
【００２８】
図１は、本発明で使用されるＵＰｎＰテレフォニーサービスの構成を示す。
【００２９】
本発明の一実施形態によるＵＰｎＰテレフォニーシステムは、テレフォニーサービスプロバイダ(Telephony  Service  Provider)１０１、ＵＰｎＰ(Universal  Plugand  Play)テレフォニー制御ポイント(Telephony  Control  Point：以下、“制御ポイント”と称する)１０２、テレフォニー端末(Telephony  Terminal)１０３、及び電子機器(Electronic  Device)１０４を含む。ここで、テレフォニー端末１０３と電子機器１０４は、制御ポイント１０２とＵＰｎＰプロトコルを用いて通信が可能な空間内に位置する。
【００３０】
テレフォニーサービスプロバイダ１０１は、テレフォニーサービスを提供し、呼を送受信するためのインターフェースをテレフォニー端末１０３に提供する。
【００３１】
ＵＰｎＰテレフォニー制御ポイント１０２は、ＵＰｎＰアクションを用いてＵＰｎＰテレフォニーサーバ１０６とＵＰｎＰテレフォニークライアント１０９を制御する論理的なソフトウェアモジュールである。ＵＰｎＰテレフォニー制御ポイント１０２は、テレフォニー端末１０３及び電子機器１０４とは別に、ＰＣ、スマートフォン、又はＰＤＡ(Personal  Digital  Assistant)のような装置に含まれ得るが、テレフォニー端末１０３又は電子機器１０４のような物理的装置に含まれることもある。ＵＰｎＰテレフォニー制御ポイント１０２がテレフォニー端末１０３又は電子機器１０４のような物理的装置に含まれる場合、ＵＰｎＰテレフォニー制御ポイント１０２は、ＵＰｎＰアクションを使用せずに、直接にＵＰｎＰテレフォニーサーバ１０６又はＵＰｎＰテレフォニークライアント１０９を制御できる。
【００３２】
ＵＰｎＰテレフォニー制御ポイント１０２は、ＵＰｎＰテレフォニーサーバ１０６から伝送され、ＵＰｎＰテレフォニーサーバ１０６又はＵＰｎＰテレフォニークライアント１０９に含まれる呼データ伝送エージェントの能力情報を用いて、呼送受信に使用されるメディア、プロトコル、及び伝送フォーマットを決定する。さらに、ＵＰｎＰテレフォニー制御ポイント１０２は、決定されたメディア、プロトコル、送信フォーマットが定義されるプロファイルを生成し、この生成されたプロファイルをＵＰｎＰテレフォニーサーバ１０６又はＵＰｎＰテレフォニークライアント１０９に伝送する。その結果、ＵＰｎＰテレフォニー制御ポイント１０２は、テレフォニー端末１０３又は電子機器１０４に含まれた呼データ伝送エージェントの環境を設定する。
【００３３】
テレフォニー端末１０３は、電話機のようなＣＥ(Computer  Engineering)装置、ソフトウェアで構成されたＶｏＩＰ(Voice  over  IP)を含むＰＣ、通信ネットワークと連動される移動通信端末機のような物理的な装置である。テレフォニー端末１０３は、ソフトウェアで構成されたＵＰｎＰテレフォニーサーバ１０６を含む。さらに、テレフォニー端末１０３は、テレフォニーサービスを提供するテレフォニーサービスプロバイダ１０１と、該当テレフォニーサービスプロバイダ１０１により提供されたインターフェースを用いて呼送受信を制御する。
【００３４】
電子機器１０４は、移動通信端末機、画像電話のようにユーザーの音声又は映像を入出力できるＣＥ装置、及びＰＣ又はＴＶのような物理的な装置であって、ソフトウェアで構成されたＵＰｎＰテレフォニークライアント１０９を含む。上記したように、本発明では、ホームネットワークシステムを用いてユーザーがホームで便利に呼を送受信することができる。
【００３５】
図２は、本発明の一実施形態によるＵＰｎＰテレフォニーを用いるメモ共有システムを概略的に示すブロック構成図である。
【００３６】
図２を参照すると、本発明の一実施形態によるＵＰｎＰテレフォニーを用いるメモ共有システムは、複数のテレフォニー制御ポイント(ＴＣＰ)１０２と、メモを提供しようとするＴＣＰ１０２からメモを受信して他のＴＣＰ１０２に提供するテレフォニーサーバ１０６を含む。このＴＣＰ１０２とテレフォニーサーバ１０６は、ホームネットワーク２１０に含まれる。
【００３７】
図２を参照すると、各構成の動作において、まず、ＴＣＰ１  １０２-１は、ホームネットワーク内のメンバーと共有するためのメモ、すなわちポストイット(post-it)ノートをテレフォニーサーバ１０６に提供する(２０１)。
【００３８】
ＴＣＰ２  １０２-２は、ポストイットノートを見るためにテレフォニーサーバ１０６に登録を遂行し(２０２）、テレフォニーサーバ１０６はレンダリング装置上でポストイットノートをアップデートする。
【００３９】
ＴＣＰ３  １０２-３は、外出中にメモを受信しないようにテレフォニーサーバ１０６に電子メールアドレス又は電話番号を登録でき、外出中に移動装置(mobile  device)２２０にポストイットノートが電子メール、又はＳＭＳ、ＳＩＰメッセージを通じて更新又は送信される(２０５)。
【００４０】
上記のように、ホームネットワークのＴＣＰ１０２は、ポストイットノートをテレフォニーサーバ１０６に伝送でき、新たなポストイットノートが登録されたＴＣＰ、すなわちレンダリング装置に通知又は送信される。
【００４１】
また、ＴＣＰ１０２は、日付又は主題に従ってポストイットノートを検索するか、あるいは削除することができる。
【００４２】
ＴＣＰ１０２は、ポストイットノートを特定装置に伝送するためにテレフォニーサーバ１０６に電子メールアドレス、電話番号、ＳＩＰアドレスなどを登録できる。
【００４３】
図３は、本発明の一実施形態によるＵＰｎＰテレフォニーを用いるメモ共有動作のフローを示す。
【００４４】
まず、ステップ３１０において、ＴＣＰ２  １０２-２は、テレフォニーサーバ１０６からメモサービスを要求する。
【００４５】
ステップ３２０において、ＴＣＰ１  １０２-１は、テレフォニーサーバ１０６にメモを伝送する。このようなメモは、メモＩＤ情報とメモコンテンツ情報を含む。本発明の一実施形態において、ＰｏｓｔＭｅｍｏ()アクションは、メモを送信するために使用され得る。ステップ３３０において、テレフォニーサーバ１０６は、新たなメモをＴＣＰ２  １０２-２に通知する。
【００４６】
ステップ３４０において、移動装置２２０は、ユーザーが外部に移動する場合、テレフォニーサーバ１０６にメモ転送のために登録を遂行する。登録において、電子メールアドレス又はＳＭＳ番号のようなメモ転送方法(MemoDeliveryMethod)と登録解除期間に関する情報が、テレフォニーサーバ１０６に送信される。ＲｅｇｉｓｔｅｒＭｅｍｏＤｅｌｉｖｅｒｙ()は、メモ転送のための登録に使用することができる。
【００４７】
以後、ステップ３５０において、移動装置２２０が家庭(又はホーム)外に移動する場合、テレフォニーサーバ１０６は、ステップ３６０で、登録された手段を用いてメモをホームの外部に位置した移動装置２２０に伝送する。
【００４８】
メモ転送方法は、電子メールアドレス、電話番号、及びＳＩＰアドレスのうち少なくとも一つを含む。メモ転送方法がＳＩＰアドレス情報を含む場合、テレフォニーサーバは、ＳＩＰメッセージを用いてメモを伝送する。メモ転送方法が電話番号を含む場合、テレフォニーサーバは、ＳＭＳを用いてメモを伝送することができる。メモ転送方法が電子メールアドレス情報を含む場合、テレフォニーサーバは、ＳＭＴＰを用いてメモを伝送することができる。
【００４９】
一方、図３に示されていないが、メモ転送のための登録と反対に、移動装置が家庭(又はホーム)内部に移動する場合に使用するために、メモ転送のための登録を解除する動作を遂行することができる。このとき、ＵｎｒｅｇｉｓｔｅｒＭｅｍｏＤｅｌｉｖｅｒｙ()アクションは、登録を解除するために使用できる。
【００５０】
図４は、本発明の一実施形態によるテレフォニーサーバと移動装置との間のＳＩＰ接続を用いてメモを共有する動作のフローを示す。
【００５１】
図４は、テレフォニーサーバと家庭外部に移動する移動装置がＳＩＰアドレスを持ち、相互にアクセスするためにＳＩＰレジスタに登録し、ＳＩＰを通じてメモを共有する動作を示す。
【００５２】
まず、ステップ４１０において、ホーム内部のテレフォニーサーバ１０６とホーム外部の移動装置２２０は、ＳＩＰレジスタ４０１にＳＩＰ  ＵＲＬを登録する。ステップ４２０において、テレフォニーサーバ１０６は、ホーム外部の移動装置２２０にＳＩＰメッセージを伝送する。このとき、メモの内容は、メッセージの本文に含まれる。ステップ４３０において、移動装置２２０は、受信されたメモの承認(acknowledgement)２００ＯＫをテレフォニーサーバ１０６に送信する。
【００５３】
図４に示した動作は、ＳＩＰメッセージ方法を用いてホーム外部の移動装置にメモを伝送する方法を示す。さらに、このメモは、ＳＩＰメッセージを移動装置からテレフォニーサーバに伝送した後、ホーム外部からホーム内部に伝送することができる。他の接近法では、ＳＩＰ  ＩＮＶＩＴＥメッセージを用いてテレフォニーサーバと移動装置との間でメモを送信する方法がある。
【００５４】
図５は、本発明の一実施形態によるＵＰｎＰリモートアクセスを用いて２個のホームネットワーク間のメモ共有を概略的に示すブロック構成図である。
【００５５】
図５は、ＵＰｎＰリモートアクセスを通じて２個のホームネットワーク間にメモを共有する構成を示す。各ホームネットワーク５１０，５２０のテレフォニーサーバは、各ホームネットワーク装置(ＴＣＰ)５１２，５２２からメモ５３０を収集して他のホームに伝送する。しかしながら、この場合には、他のホームネットワークと共有が許可されるメモのみが他のホームネットワークに伝送可能である。したがって、メモを自身のホームネットワークのみで共有するタイプと、他の所定のホームネットワークとメモを共有するタイプのように、各タイプ別にタグを設定する必要がある。一つのホームネットワークのテレフォニーサーバは、２個のホームネットワークの間でメモを送信するために他のホームのテレフォニーサーバに対してＵＰｎＰを動作させることができる。
【００５６】
図６は、本発明の一実施形態によるＳＩＰメッセージを用いて２個のホームネットワーク間のメモを共有する動作のフローを示す。
【００５７】
図６は、テレフォニーサーバがＳＩＰメッセージ方法を用いて他のテレフォニーサーバとメモを共有する動作を示す。図６を参照すると、第１のホームのテレフォニーサーバ６０１は、ステップ６１０でＳＩＰレジスタ６０２にＳＩＰ  ＵＲＬを登録し、第２のホームのテレフォニーサーバ６０３は、ステップ６２０でＳＩＰレジスタ６０２にＳＩＰ  ＵＲＬを登録する。
【００５８】
ステップ６３０において、第１のホームのテレフォニーサーバ６０１は、第２のホームのテレフォニーサーバ６０３にＳＩＰメッセージを伝送する。このとき、第１のホームのメモの内容は、メッセージの本文に含まれる。ステップ６４０において、第２のホームのテレフォニーサーバ６０３は、第１のホームのテレフォニーサーバ６０１に受信されたメモに対する承認を伝送する。
【００５９】
ステップ６５０において、第２のホームのテレフォニーサーバ６０３は、第１のホームのテレフォニーサーバ６０１にＳＩＰメッセージを伝送する。この場合、第２のホームのメモ内容は、メッセージの本文に含まれる。ステップ６６０において、第１のホームのテレフォニーサーバ６０１は、第２のホームのテレフォニーサーバ６０３に受信されたメモの承認を伝送する。
【００６０】
一方、上記動作において、ＳＩＰ  ＩＮＶＩＴＥメッセージは、２個のテレフォニーサーバ間のメモを送信するために使用できる。この場合、私設ＳＩＰヘッダーは、メモを他のタイプのメッセージと区別するために使用され得る。また、メモを他のメッセージと区別するためにＳＩＰアドレスを使用することが可能である。図６において、２個のテレフォニーサーバ６０１，６０３は、ＳＩＰを用いて相互に接続されている。この場合、ＵＰｎＰリモートアクセスが２個のテレフォニーサーバ間に達成される必要はない。
【００６１】
上記したように、本発明の一実施形態によるＵＰｎＰテレフォニーを用いてメモを共有する方法及び装置の動作と構成を実現することができる。本発明は、好適な実施形態を参照して詳細に説明したが、特許請求の範囲の記載及びこれと均等なものに基づいて定められる本発明の範囲及び精神を逸脱することなく、形式や細部の様々な変更が可能であることは、当該技術分野における通常の知識を持つ者には明らかである。
【符号の説明】
【００６２】
１０１  テレフォニーサービスプロバイダ
１０２  ＵＰｎＰテレフォニー制御ポイント
１０３  テレフォニー端末 
１０４  電子機器
１０６  ＵＰｎＰテレフォニーサーバ
１０９  ＵＰｎＰテレフォニークライアント
【図１】
2013541752.tif 000003
【図２】
2013541752.tif 000004
【図３】
2013541752.tif 000005
【図４】
2013541752.tif 000006
【図５】
2013541752.tif 000007
【図６】
2013541752.tif 000008
【国際調査報告】
2013541752.tif 000009
2013541752.tif 000010